(57)【要約】【課題】ダンプトラックの形状等の制約を考慮しつつ、複数のカメラ配置を適正化することで、死角のない周辺監視を行うことが可能なダンプトラックを提供する。【解決手段】ダンプトラック１は、運転席が配置されるアッパデッキ部２Ｂおよび前後方向に沿って配置された車体フレーム２と、車体前方を撮影可能になるようにアッパデッキ部２Ｂの前方に設置された前方カメラ１１と、車体後方を撮影可能になるように車体フレーム２の後端に設置された後方カメラ１６と、車体前方から斜め後方まで撮影可能になるようにアッパデッキ部における左右の側方にそれぞれ設けられた左右側方第１・第２カメラ１２，１３，１４，１５と、を備えている。左右側方第２カメラ１４，１５は、アッパデッキ部２Ｂの側面前端部付近における左右のそれぞれに設けられている。【選択図】図１０
2014221641.tif 000002
【特許請求の範囲】
【請求項１】
複数のカメラが搭載されており、前記複数のカメラによって得られる画像を組み合わせた俯瞰画像を用いて周辺監視を行うダンプトラックであって、
運転席が配置されるアッパデッキ部および前後方向に沿って配置されたメインフレームを含む車体部と、
前記車体部の前方を撮像可能になるように前記アッパデッキ部の前方に設置された前方カメラと、
前記車体部の後方を撮像可能になるように前記メインフレームの後端に設置された後方カメラと、
前記車体部の斜め前方から斜め後方まで撮像可能になるように前記アッパデッキ部における左右の側方にそれぞれ設けられた側方カメラと、
を備え、
前記側方カメラは、前記アッパデッキ部の側面前端部付近における左右のそれぞれに設けられたカメラを少なくとも有している、
ダンプトラック。
【請求項２】
前記前方カメラ、前記後方カメラ、前記側方カメラは、
いずれかの前記カメラの撮像領域の一部の領域が前記アッパデッキ部の高さに対して半分の視野高さを有していない場合、そのカメラに隣接する前記カメラの撮像領域の前記一部の領域の視野高さが、前記アッパデッキ部の高さに対して半分以上を有するように、前記車体部上に配置されている、請求項１に記載のダンプトラック。
【請求項３】
前記アッパデッキ部の側面前端部付近に設けられたカメラは、前記車体部の斜め後方を撮像し、
前記側方カメラは、前記アッパデッキ部の前側面端部付近における左右のそれぞれに設けられ、前記車体部の斜め前方を撮像するカメラを更に有する、
請求項１又は２に記載のダンプトラック。
【請求項４】
前記側方カメラは、前輪よりも前側に設けられている、請求項１〜３のいずれかに記載のダンプトラック。
【請求項５】
前記後方カメラは、２つの後輪を連結するアスクルの上方、かつベッセルの回動軸付近に配置されている、
請求項１〜４のいずれかに記載のダンプトラック。
【発明の詳細な説明】
【技術分野】
【０００１】
本発明は、デッキ部等に搭載された複数のカメラによって撮像された複数の画像を合成した俯瞰画像を用いて周辺監視を行うダンプトラックに関する。
【背景技術】
【０００２】
鉱山作業などに用いられるダンプトラックは、一般的なトラックやバスに比べて格段に大きな車幅（例えば、約５ｍ程度）を有している。そして、運転者が居るキャブは、車体前方のデッキ部上における左寄りの位置に設けられているため、運転者からは左前方の一部しか目視確認することができない。
このため、ダンプトラックには、車体の周辺監視を行うために、キャブが配置されたデッキ部等に複数のカメラを設置し、これらのカメラを用いて周辺監視が行われている。
【０００３】
例えば、特許文献１には、車両に設置されたカメラ画像を透視変換画像に変換し、自車の画像との関連において１枚の画像に合成することで、自車の周囲に存在する障害物等と自車との相対的な位置関係を容易に認識することが可能な自動車用の周辺監視装置が開示されている。
【先行技術文献】
【特許文献】
【０００４】
【特許文献１】特開平３−９９９５２号公報
【発明の概要】
【発明が解決しようとする課題】
【０００５】
しかしながら、上記従来の周辺監視装置では、以下に示すような問題点を有している。
すなわち、上記公報に開示された周辺監視装置は、自動車の車庫入れ時等の周辺監視に用いられるものであるため、ダンプトラックにそのまま適用することは困難である。
具体的には、ダンプトラックでは、自動車と違って運転席から目視できる範囲が小さいために広い周辺監視範囲をカバーする必要があり、死角が生じないように複数のカメラを適切に設置する必要がある。しかし、ダンプトラックの場合には、車両形状等による制約があるため、この制約を考慮しつつ、広い周辺監視範囲をカバーするようにカメラ配置を適正化する必要がある。
【０００６】
本発明の課題は、ダンプトラックの形状等の制約を考慮しつつ、複数のカメラ配置を適正化することで、死角のない周辺監視を行うことが可能なダンプトラックを提供することにある。
【課題を解決するための手段】
【０００７】
第１の発明に係るダンプトラックは、複数のカメラが搭載されており、複数のカメラによって得られる画像を組み合わせた俯瞰画像を用いて周辺監視を行うダンプトラックであって、車体部と、前方カメラと、後方カメラと、側方カメラと、を備えている。車体部は、運転席が配置されるアッパデッキ部および前後方向に沿って配置されたメインフレームを含む。前方カメラは、車体部の前方を撮像可能になるようにアッパデッキ部の前方に設置されている。後方カメラは、車体部の後方を撮像可能になるようにメインフレームの後端に設置されている。側方カメラは、車体部の斜め前方から斜め後方まで撮像可能になるようにアッパデッキ部における左右の側方にそれぞれ設けられている。側方カメラは、アッパデッキ部の側面前端部付近における左右のそれぞれに設けられたカメラを少なくとも有している、
ここでは、前方カメラおよび左右の側方カメラをアッパデッキ部に設置し、後方カメラをメインフレームの後端に設置している。そして、ダンプトラックの車体部の側方前方から側方後方にかけて撮像範囲となるように、左右の側方カメラを設置している。
【０００８】
一般的に、ダンプトラックは、車幅が５ｍ以上になる等、自動車と比較して非常に車体が大きいため、運転席から目視確認できる車体外周における範囲は非常に狭くなる。このため、複数のカメラを車体部に設け、運転席内に設けられたモニタ画面等を介して周辺の障害物や人の有無を確認している。
本発明のダンプトラックでは、複数のカメラを設置する際に、カスタマイズされて交換されるおそれのあるベッセルや排気によって高温になる車体右側面後方付近等を避けて、車体部を構成するアッパデッキ部に前方カメラ、左右の側方カメラを、メインフレームの後端に後方カメラをそれぞれ設けている。
これにより、ダンプトラック特有のカメラ設置場所の制約を考慮しつつ、前方から左右の側方、後方までのほぼ全周囲をカバーできるように適切にカメラを配置することができる。この結果、ダンプトラックに対する複数のカメラの配置の適正化により、死角のない周辺監視を行うことができる。
【０００９】
第２の発明に係るダンプトラックは、第１の発明に係るダンプトラックであって、前方カメラ、後方カメラ、側方カメラは、いずれかのカメラの撮像領域の一部の領域がアッパデッキ部の高さに対して半分の視野高さを有していない場合、そのカメラに隣接するカメラの撮像領域の一部の領域の視野高さが、アッパデッキ部の高さに対して半分以上を有するように、車体部上に配置されている。
【００１０】
ここでは、ダンプトラックの周囲に存在する人を、カメラの撮像範囲に捕らえて俯瞰画像上に確実に表示させるために、隣接するカメラの一方が高さ方向においてアッパデッキ部の高さの半分以上の視野範囲を有するように、各カメラを配置している。
ここで、上記アッパデッキ部の高さとは、例えば、地上から４ｍ以上を想定しており、その半分の高さとは、例えば、２．０ｍ以上の範囲を意味している。
【００１１】
通常、ダンプトラックのような大型車両においては、キャブ内の運転者からはキャブが設置されたアッパデッキ部よりも下方部分が視認しにくい状況にある。
これにより、高さ方向における視野範囲としてアッパデッキ部の高さの半分以上の高さを含むように各カメラを設置することで、キャブから特に視認しにくいアッパデッキ部の高さの半分の位置よりも下にある人等の障害物を確実に検知することができる。また、ダンプトラックの周囲に人（高さ１．５ｍ〜２．０ｍ）が存在する場合には、人がどの位置に移動しても、上半身や下半身だけの状態で表示されてしまうことを回避して、人全体を俯瞰画像上に表示することができる。この結果、俯瞰画像を用いた周辺監視をより確実なものとすることができる。
【００１２】
第３の発明に係るダンプトラックは、第１または第２の発明に係るダンプトラックであって、アッパデッキ部の側面前端部付近に設けられたカメラは、車体部の斜め後方を撮像し、側方カメラは、アッパデッキ部の前側面端部付近における左右のそれぞれに設けられ、車体部の斜め前方を撮像するカメラを更に有する。
ここでは、ダンプトラックの側方を撮像する側方カメラとして、車体部の斜め前方を撮像範囲とする第１カメラと、車体部の斜め後方を撮像範囲とする第２カメラと、をアッパデッキ部上に設けている。
これにより、前方カメラおよび後方カメラと合わせて、ダンプトラックの全周囲をできるだけゆがみの小さい状態で俯瞰画像上に表示することができる。よって、運転者にとってダンプトラックの周囲に存在する障害物を確認しやすくなり、安全性を向上させることができる。
【００１３】
第４の発明に係るダンプトラックは、第１から第３の発明のいずれか１つに係るダンプトラックであって、側方カメラは、前輪よりも前側に設けられている。
【００１４】
第５の発明に係るダンプトラックは、第１から第４の発明のいずれか１つに係るダンプトラックであって、後方カメラは、２つの後輪を連結するアスクルの上方、かつベッセルの回動軸付近に配置されている。
【発明の効果】
【００１５】
本発明に係るダンプトラックによれば、ダンプトラックの形状等の制約を考慮しつつ、複数のカメラ配置を適正化することで、死角のない周辺監視を行うことができる。
【図面の簡単な説明】
【００１６】
【図１】本発明の一実施形態に係るダンプトラックの全体構成を示す斜視図。
【図２】図１のダンプトラックのキャブ内の構成を示す斜視図。
【図３】図１のダンプトラックの制御ブロックを示す図。
【図４】図１のダンプトラックに設置された複数のカメラの位置を示す斜視図。
【図５】図３の複数のカメラのうちの前方カメラの位置を示す斜視図。
【図６】図３の複数のカメラのうちの右側方第１カメラの位置を示す斜視図。
【図７】図３の複数のカメラのうちの左側方第１カメラの位置を示す斜視図。
【図８】図３の複数のカメラのうちの右側方第２カメラの位置を示す斜視図。
【図９】図３の複数のカメラのうちの左側方第２カメラの位置を示す斜視図。
【図１０】図３の複数のカメラのうちの後方カメラの位置を示す斜視図。
【図１１】図３の複数のカメラによって撮像される地面を基準にした撮像エリアを示す平面図。
【図１２】図１のダンプトラックに設置された複数のレーダ装置の位置を示す斜視図。
【図１３】図１２の複数のレーダ装置によって検知される検知エリアを示す平面図。
【図１４】（ａ），（ｂ）は、図４の複数のカメラのうちの正面カメラおよび左側方第１カメラの高さ方向における撮像範囲を示す図。
【図１５】図４の複数のカメラによる３次元の撮像範囲を示す斜視図。
【図１６】（ａ）〜（ｃ）は、図１のダンプトラックの車体周辺を人が移動した場合の俯瞰画像上における人の見え方を示す説明図。
【発明を実施するための形態】
【００１７】
本発明の一実施形態に係るダンプトラックについて、図１〜図１６（ｃ）を用いて説明すれば以下の通りである。
なお、以下の説明において、「前」「後」「左」「右」とは、運転席に着座して正面を向いている運転者から見た方向を基準とする方向を意味しており、「車幅方向」とは、「左右方向」と同義である。
【００１８】
［ダンプトラック１全体の構成］
本実施形態に係るダンプトラック１は、鉱山作業などに用いられる自走式の超大型作業車両であって、約５ｍを超える車幅を有している。
ダンプトラック１は、図１に示すように、主として、車体フレーム（メインフレーム）２と、キャブ３と、ベッセル４と、左右一対の前輪５および後輪６と、図示しない給電用のパンタグラフを設置するベース７と、車両周囲を監視する周辺監視装置１０（図３参照）と、を備えている。なお、周辺監視装置１０の構成および動作については、後段にて詳述する。
【００１９】
車体フレーム２は、図示しないディーゼルエンジンやトランスミッション等の動力機構やその他の補機類を支持している。また、車体フレーム２の前部に左右一対の前輪５、後部に左右一対の後輪６がそれぞれ支持されている。車体フレーム２は、地面に近い側に設けられたロアデッキ部２Ａと、ロアデッキ部２Ａの上方に設けられたアッパデッキ部２Ｂと、を有している。
【００２０】
ロアデッキ部２Ａと地面との間には、乗降用の可動式ラダー２Ｃが２つ設けられている。また、ロアデッキ部２Ａとアッパデッキ部２Ｂとの間には、ロアデッキ部２Ａとアッパデッキ部２Ｂ間を行き来するための斜めラダー２Ｄが設けられている。さらに、アッパデッキ部２Ｂ上には、アッパデッキ部２Ｂの外周部分に沿って移動用の柵状の手すりが固定されている。なお、本実施形態のダンプトラック１では、ラダー２Ｃ，２Ｄについては、アッパデッキ部２Ｂおよびロアデッキ部２Ａの一部であるものとする。
【００２１】
キャブ３は、アッパデッキ部２Ｂ上における車幅方向の中央から左寄りの位置に配置され、図２に示すように、４本の支柱３ａ，３ｂ，３ｃ，３ｄによって構成されるＲＯＰＳ（Roll-Over Protection Structure：転倒時保護構造）を有している。運転者は、車体左側の路肩を容易に確認できる状態で走行するが、車体の周囲確認を行うためには頭を大きく動かす必要がある。また、アッパデッキ部２Ｂには、車両の周囲を確認するために、図示しないサイドミラーが複数設けられている。これらのサイドミラーは、キャブ３から離れた位置にあるため、運転者はサイドミラーを用いて周囲確認を行う際にも頭を大きく動かす必要がある。
【００２２】
キャブ３内には、図２に示すように、運転席３１、ハンドル３２、ダッシュカバー３３、無線装置３４、ラジオ受信機３５、リターダ３６、シフトレバー３７、コントローラ１００、モニタ５０、アクセルペダル、ブレーキペダル等が設けられている。なお、コントローラ１００およびモニタ５０は、後述する周辺監視装置１０の一部を構成する。
ベッセル４は、砕石等の重量物を積載するための荷台であって、後側底部において回動軸４ａを介して車体フレーム２の後端部に回動可能に連結されている。これにより、ベッセル４は、油圧シリンダ等のアクチュエータによって、前部が上方に回動して積載物を排出する起立姿勢と、図１に示すように、前部がキャブ３の上部に位置する積載姿勢との範囲で回動させることができる。
【００２３】
［周辺監視装置１０の構成］
周辺監視装置１０は、図３に示すように、６台のカメラ１１〜１６と、８台のレーダ装置２１〜２８と、モニタ５０と、コントローラ１００と、を有している。
（カメラ１１〜１６）
６台のカメラ１１〜１６は、図４に示すように、ダンプトラック１の周囲３６０度範囲の画像を取得するためにダンプトラック１の外周部分にそれぞれ取り付けられている。なお、各カメラ１１〜１６は、左右方向において１２０度（左右６０度ずつ）、高さ方向において９６度の視野範囲を有している。
【００２４】
前方カメラ１１は、図５に示すように、斜めラダー２Ｄの最上段の踊り場部分の下部に配置されており、アッパデッキ部２Ｂに取り付けられたブラケット３１０を介して車両前方に向かって固定されている。そして、前方カメラ１１の撮像範囲は、図１１に示す地面基準の撮像エリアでは、車両の前方に広がる第１撮像範囲１１Ｃである。
右側方第１カメラ１２は、図６に示すように、アッパデッキ部２Ｂの前側面右端部付近に配置されており、アッパデッキ部２Ｂに取り付けられたブラケット３２０を介して車両右斜め前方に向かって固定されている。そして、右側方第１カメラ１２の撮像範囲は、図１１に示す地面基準の撮像エリアでは、車両の右斜め前方に広がる第２撮像範囲１２Ｃである。
【００２５】
左側方第１カメラ１３は、図７に示すように、第２カメラ１２と左右対称位置、すなわちアッパデッキ部２Ｂの前側面左端部付近に配置されており、アッパデッキ部２Ｂに取り付けられたブラケット３３０を介して車両左斜め前方に向かって固定されている。そして、左側方第１カメラ１３の撮像範囲は、図１１に示す地面基準の撮像エリアでは、車両の左斜め前方に広がる第３撮像範囲１３Ｃである。
【００２６】
右側方第２カメラ１４は、図８に示すように、アッパデッキ部２Ｂの右側面前端部付近に配置されており、アッパデッキ部２Ｂに取り付けられたブラケット３４０を介して車両右斜め後方に向かって固定されている。そして、右側方第２カメラ１４の撮像範囲は、図１１に示す地面基準の撮像エリアでは、車両の右斜め後方に広がる第４撮像範囲１４Ｃである。
【００２７】
左側方第２カメラ１５は、図９に示すように、第４カメラと左右対称位置、すなわちアッパデッキ部２Ｂの左側面前端部付近に配置されており、アッパデッキ部２Ｂに取り付けられたブラケット３５０を介して車両左斜め後方に向かって固定されている。そして、左側方第２カメラ１５の撮像範囲は、図１１に示す地面基準の撮像エリアでは、車両の左斜め後方に広がる第５撮像範囲１５Ｃである。
【００２８】
後方カメラ１６は、図１０に示すように、車体フレーム２の後端であって、２つの後輪６を連結するアクスル６ａの上方、かつベッセル４の回動軸４ａ付近に配置されており、クロスバー８に取り付けられたブラケット３６０を介して車両後方に向かって固定されている。そして、後方カメラ１６の撮像範囲は、図１１に示す地面基準の撮像エリアでは、車両後方に広がる第６撮像範囲１６Ｃである。
【００２９】
以上の６台のカメラ１１〜１６によれば、図１１の中央図に示すように、ダンプトラック１の周囲３６０度の全周囲の画像を取得することができる。また、６台のカメラ１１〜１６は、それぞれ撮像した画像に対応する画像データをコントローラ１００に送信する。
また、前方カメラ１１および左右側方第１カメラ１２，１３および左右側方第２カメラ１４，１５を、比較的高い位置にあるアッパデッキ部２Ｂに設けている。このため、各カメラ１１〜１５によって上から地面を見下ろすような撮像画像を得ることができ、地面に存在する人等の障害物を広範囲に撮像することができる。また、俯瞰画像２００を形成する際に視点変換を行った場合でも、上方から撮像した画像を用いているため、立体物の変形の度合いを抑制することができる。
なお、各カメラ１１〜１６の詳細な撮像範囲については、後段にて詳述する。
【００３０】
（８台のレーダ装置２１〜２８）
８台のレーダ装置２１〜２８は、方位±４０度（左右８０度）、検出距離が最大１５ｍ以上のＵＷＢ（Ultra Wide Band）レーダ（超広帯域レーダ）であって、ダンプトラック１の周囲に存在する障害物の相対位置を検知する。８台のレーダ装置２１〜２８は、上述した６台のカメラ１１〜１６と同様に、ダンプトラック１の外周部分に装着される。
【００３１】
第１レーダ装置２１は、図１２に示すように、地上から１ｍ程度の高さにあるロアデッキ部２Ａにおける車両正面にあり中心よりやや右寄りに配置されている。そして、第１レーダ装置２１の検知範囲は、図１３に示すように、車両前方から左斜め前方に広がる第１検知範囲２１Ｒである。
第２レーダ装置２２は、図１２に示すように、ロアデッキ部２Ａ上における第１レーダ装置２１の左側に隣接配置されている。そして、第２レーダ装置２２の検知範囲は、図１３に示すように、上記第１レーダ装置２１の第１検知範囲２１Ｒと交差するように、車両の前方から右斜め前方に広がる第２検知範囲２２Ｒである。
【００３２】
第３レーダ装置２３は、図１２に示すように、ロアデッキ部２Ａの右側面前端部付近に配置されている。そして、第３レーダ装置２３は、図１３に示すように、車両の右斜め前方から右方に広がる第３検知範囲２３Ｒである。
第４レーダ装置２４は、図１２に示すように、車両側面におけるロアデッキ部２Ａとアッパデッキ部２Ｂの中間の高さ位置の右側端部付近に配置されている。そして、第４レーダ装置２４は、図１３に示すように、車両の右方から後方に広がる第４検知範囲２４Ｒである。
【００３３】
第５レーダ装置２５は、図１２に示すように、ベッセル４の下方であって、図１０に示すように、左右の後輪６に回転駆動力を伝達するアクスル６ａの上方に配置されている。そして、第５レーダ装置２５の検知範囲は、図１３に示すように、車両の右斜め後方から後方に広がる第５検知範囲２５Ｒである。
第６レーダ装置２６は、図１２に示すように、上記第５レーダ装置２５と同様に、アクスル６ａの上方の位置であって、第５レーダ装置２５の右側に隣接配置されている。そして、第６レーダ装置２６の検知範囲は、図１３に示すように、第５レーダ装置２５の検知範囲と交差するように、車両の後方から左斜め後方に広がる第６検知範囲２６Ｒである。
【００３４】
第７レーダ装置２７は、図１２に示すように、車両側面におけるロアデッキ部２Ａとアッパデッキ部２Ｂの中間の高さ位置の左側端部付近、つまり第４レーダ装置２４と左右対称位置に配置されている。第７レーダ装置２７の検知範囲は、図１３に示すように、車両の後方から左方に広がる第７検知範囲２７Ｒである。
第８レーダ装置２８は、図１２に示すように、ロアデッキ部２Ａの左側面における前端部付近、つまり第３レーダ装置２３と左右対称な位置に配置されている。そして、第８レーダ装置２８の検知範囲は、図１３に示すように、車両の左方から左斜め前方に広がる第８検知範囲２８Ｒである。
以上の８台のレーダ装置２１〜２８によれば、図１３の中央図に示すように、ダンプトラック１の３６０度全周囲を検知範囲として、ダンプトラック１に対する障害物の相対位置を検知することができる。また、８台のレーダ装置２１〜２８は、それぞれ検知した障害物の相対位置を示す相対位置データをコントローラ１００に送信する。
【００３５】
（モニタ５０）
モニタ５０は、キャブ３内における運転席の前方に配置される。モニタ５０は、コントローラ１００の制御に応じて、後述する俯瞰画像２００（図１７（ａ）等参照）等の画像を表示する。モニタ５０における表示例については、後述する。
【００３６】
（コントローラ１００）
コントローラ１００は、上述した６台のカメラ１１〜１６および８台のレーダ装置２１〜２８を用いて、ダンプトラック１の周囲における障害物の有無を俯瞰画像２００上に表示して監視し、必要に応じて障害物の存在を運転者に警告する。コントローラ１００は、図３に示すように、俯瞰画像合成部１１０、カメラ画像切替・視点変換部１２０、表示制御部１３０、モニタ画像生成部１４０、障害物情報収集部２１０および障害物処理部２２０を備えている。
【００３７】
俯瞰画像合成部１１０は、図３に示すように、６台のカメラ１１〜１６に接続されており、それぞれのカメラ１１〜１６において取得されたそれぞれの撮像範囲における複数の画像データを受信する。そして、俯瞰画像合成部１１０は、受信した複数の画像データに対応した画像を合成して、ダンプトラック１の全周囲を含む俯瞰画像２００（図１７（ａ）等参照）を生成する。具体的には、俯瞰画像合成部１１０は、複数の画像データそれぞれを座標変換することによって、複数の画像を所定の投影面上に投影させた俯瞰画像２００を示す俯瞰画像データを生成する。
【００３８】
カメラ画像切替・視点変換部１２０は、図３に示すように、６台のカメラ１１〜１６に接続されており、レーダ装置２１〜２８による障害物検知の結果等に応じて、俯瞰画像２００とともにモニタ５０の画面上に表示される各カメラ１１〜１６による撮像画像を切り替える。また、カメラ画像切替・視点変換部１２０は、各カメラ１１〜１６によって取得された撮像画像を、上方無限遠からの視点からの画像に変換する。
【００３９】
表示制御部１３０は、図３に示すように、カメラ画像切替・視点変換部１２０、モニタ画像生成部１４０および障害物処理部２２０に接続されている。表示制御部１３０は、各カメラ１１〜１６によって取得された画像を合成して形成される俯瞰画像２００中にレーダ装置２１〜２８によって取得した障害物の位置情報を合成して表示させるための障害物位置データを、カメラ画像切替・視点変換部１２０およびモニタ画像生成部１４０に対して送信する。
【００４０】
モニタ画像生成部１４０は、図３に示すように、俯瞰画像合成部１１０、カメラ画像切替・視点変換部１２０、および表示制御部１３０に接続されている。モニタ画像生成部１４０は、６台のカメラ１１〜１６および８台のレーダ装置２１〜２８によって取得されたダンプトラック１の全周囲の画像データと障害物位置データとに基づいて、俯瞰画像２００上に障害物の位置を含むモニタ５０に表示させる画像を生成する。
【００４１】
障害物情報収集部２１０は、図３に示すように、８台のレーダ装置２１〜２８と障害物処理部２２０とに接続されている。障害物情報収集部２１０は、８台のレーダ装置２１〜２８からそれぞれの検知領域における障害物検知結果を受信し、障害物処理部２２０へと送信する。
障害物処理部２２０は、図３に示すように、障害物情報収集部２１０と表示制御部１３０とに接続されており、障害物情報収集部２１０から受信した障害物の位置情報を、表示制御部１３０へと送信する。
【００４２】
＜各カメラ１１〜１６の撮像範囲＞
本実施形態では、図４に示すように、複数のカメラ１１〜１６がアッパデッキ部２Ｂの正面や側面、車体フレーム２の後端に配置されており、各カメラ１１〜１６によって撮像された画像を合成して、図１１に示すような俯瞰画像２００をモニタ５０上に表示させる。
【００４３】
俯瞰画像２００は、図１１に示すように、各カメラ１１〜１６によって撮像された各撮像範囲１１Ｃ〜１６Ｃの画像を合成することで得られる。これにより、運転者は、モニタ５０に表示される俯瞰画像２００を確認するだけでダンプトラック１の周囲３６０度全範囲を監視することができる。
ここで、各カメラ１１〜１６の平面方向における撮像範囲について説明する。
【００４４】
本実施形態のダンプトラック１では、前方カメラ１１、左右の側方第１カメラ１２，１３および左右の側方第２カメラ１４，１５をアッパデッキ部２Ｂに設け、後方カメラ１６を車体フレーム２の後端に設けている。
特に、左右の側方第１カメラ１２，１３は、ダンプトラック１の車体の左右の斜め前方から側方までを撮像範囲としてカバーしており、左右の側方第２カメラ１４，１５は、ダンプトラック１の車体の左右の側方から斜め後方までを撮像範囲としてカバーしている。
【００４５】
これにより、前方カメラ１１および後方カメラ１６によって取得された撮像画像と合わせて、ダンプトラック１の全周囲をカバーした俯瞰画像２００を生成して、周辺監視を行うことができる。
また、本実施形態では、図１１に示すように、各カメラ１１〜１６の撮像範囲１１Ｃ〜１６Ｃが互いの隣接部分において重複するように、互いに隣接するカメラ１１〜１６を設置している。
【００４６】
これにより、各カメラ１１〜１６の撮像範囲１１Ｃ〜１６Ｃの重複した領域において接続線を設けることで、ダンプトラック１の平面上における３６０度全周囲の監視が可能となる。
なお、俯瞰画像２００上において互いに隣接する撮像範囲１１Ｃ〜１６Ｃを接続する接続線については、撮像範囲１１Ｃ〜１６Ｃの重複領域内の任意の位置に設定することができる。
【００４７】
次に、各カメラ１１〜１６の高さ方向における撮像範囲について説明する。
図１５には、ダンプトラック１の全周における各カメラ１１〜１６による３次元の撮像範囲を示している。ここでは、ダンプトラック１の周囲１０ｍの範囲内における各カメラ１１〜１６の高さ方向における撮像範囲を示している。
このとき、ダンプトラック１の周辺（例えば、車体周囲１０ｍの範囲内）に存在する障害物（人）を確実に俯瞰画像２００上に表示させるためには、例えば、図１４（ａ）に示すように、人Ｐの体の一部が前方カメラ１１のハッチングで示す撮像範囲内に含まれるように各カメラ１１〜１６が配置されていればよい。
【００４８】
ただし、図１５において車両前方の撮像領域周辺付近に人Ｐが存在した場合、図１４（ａ）に示す状態では、人Ｐの頭部は前方カメラ１１の撮像範囲から外れてしまっているため、前方カメラ１１が撮像した画像上では、人Ｐは肩から下のみが俯瞰画像２００上に表示される。この場合、俯瞰画像２００を見た運転者は、人Ｐの高さ方向における一部だけが表示されているため、人Ｐを人として認識できないおそれがある。
【００４９】
そこで、本実施形態のダンプトラック１では、俯瞰画像２００において、ダンプトラック１の周辺に存在する人（障害物）の全身を表示できるように、高さ方向においてアッパデッキ部２Ｂの高さ（約４ｍ以上）の半分以上（具体的には、２ｍ以上）の視野範囲を持つように、各カメラ１１〜１６を設置している。
すなわち、ダンプトラック１のような大型車両の場合、キャブ３内の運転者から見て、キャブ３が設置されたアッパデッキ部２Ｂよりも下方にある人等の障害物を視認することが困難である。よって、ダンプトラック１の周囲に存在する人等の障害物を周辺監視装置１０によって確認できるようにするためには、ダンプトラック１の全周囲における地上からアッパデッキ部２Ｂよりも低い位置にある障害物を確実に検知することが重要である。
【００５０】
本実施形態のダンプトラック１では、隣接する前方カメラ１１の撮像範囲と左側方第１カメラ１３の撮像範囲のうち、図１４（ａ）に示すように、ダンプトラック１の周囲１０ｍの範囲内において、一方の前方カメラ１１の撮像範囲が所定の高さＨ（２ｍ）よりも低い場合には、図１４（ｂ）に示すように、他方の左側方第１カメラ１３の撮像範囲が所定の高さＨ（２ｍ）よりも高くなるように、前方カメラ１１および左側方第１カメラ１３が位置決めされて設置されている。
【００５１】
本実施形態では、以上のように、隣接するカメラの撮像範囲におけるそれぞれの最低の高さＨが、人Ｐの全身を含む２ｍ以上になるように設置されている。
これにより、隣接する２つのカメラのうちのいずれか一方のカメラの高さ方向における撮像範囲が、アッパデッキ部２Ｂの高さの半分以上の高さＨ（２ｍ）以上になるように設置されていることで、アッパデッキ部２Ｂよりも低い位置にある障害物を、互いに隣接するカメラ１１〜１６のうちの一方の撮像範囲内とし、俯瞰画像２００において確実に人Ｐの全体を表示することができる。
【００５２】
具体的には、図１６（ａ）〜図１６（ｃ）に示すように、ダンプトラック１の周囲において、人Ｐが各カメラ１１〜１６の撮像範囲の境界部分（撮像範囲１３ｃから撮像範囲１１ｃへ）をまたぐように移動した場合でも、人Ｐの全身を俯瞰画像２００上に表示することができる。
なお、各撮像画像を合成して俯瞰画像２００を生成する際には、各撮像画像の境界部分について画像の重複部分を平均化して表示するアルファブレンディングの技術を用いることが好ましい。これにより、各撮像画像の境界部分を跨ぐように人Ｐが移動した場合でも、俯瞰画像２００における境界部分において人Ｐが消失してしまうことを回避することができる。
【００５３】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、各カメラ１１〜１６および各レーダ装置２１〜２８の配置を上述した位置にそれぞれ配置した例を挙げて説明した。しかし、本発明はこれに限定されるものではない。
【００５４】
各カメラおよび各レーダ装置の配置については、ダンプトラック全周囲範囲をカバーできるようにそれぞれ配置されていれば、特に、限定されるものではない。
ただし、ベッセル４のように、カスタマイズされて交換される可能性がある部材に対してカメラ等を取り付けた場合には、その部品の交換ごとにカメラ等の位置決めを新たに行う必要が生じるという面では、上述した実施形態のように、ベッセル等の交換可能な部品を避けてカメラやレーダ装置が取り付けられていることが好ましい。
【００５５】
（Ｂ）
上記実施形態では、側方カメラとして、車両右側面に、右側方第１カメラ１２および右側方第２カメラ１４、車両左側面に、左側方第１カメラ１３および左側方第２カメラ１５をそれぞれ設けた例を挙げて説明した。しかし、本発明はこれに限定されるものではない。
例えば、車両の左右の側方を１台のカメラによってカバーできるような視野角の大きいカメラを用いて左右の側方カメラを１台ずつ設けた構成であってもよい。
【００５６】
（Ｃ）
上記実施形態では、ダンプトラック１の周辺に存在する人全体を俯瞰画像２００上に確実に表示させるために、アッパデッキ部２Ｂの高さの半分以上（約２ｍ以上）の高さが撮像範囲内になるように、各カメラ１１〜１６が配置されている例を挙げて説明した。しかし、本発明はこれに限定されるものではない。
例えば、確実に検知したい障害物として人以外のものを想定する場合には、作業現場等においてダンプトラックの周囲に存在する障害物の高さに応じて高さ方向における視野範囲を設定すればよい。
【００５７】
＜付記＞
以下に本発明に関連する発明について記載する。
【００５８】
第１の発明に係るダンプトラックは、複数のカメラが搭載されており、複数のカメラによって得られる画像を組み合わせた俯瞰画像を用いて周辺監視を行うダンプトラックであって、車体部と、前方カメラと、後方カメラと、側方カメラと、を備えている。車体部は、運転席が配置されるアッパデッキ部および前後方向に沿って配置されたメインフレームを含む。前方カメラは、車体部の前方を撮像可能になるようにアッパデッキ部の前方に設置されている。後方カメラは、車体部の後方を撮像可能になるようにメインフレームの後端に設置されている。側方カメラは、車体部の斜め前方から斜め後方まで撮像可能になるようにアッパデッキ部における左右の側方にそれぞれ設けられている。
【００５９】
ここでは、前方カメラおよび左右の側方カメラをアッパデッキ部に設置し、後方カメラをメインフレームの後端に設置している。そして、ダンプトラックの車体部の側方前方から側方後方にかけて撮像範囲となるように、左右の側方カメラを設置している。
一般的に、ダンプトラックは、車幅が５ｍ以上になる等、自動車と比較して非常に車体が大きいため、運転席から目視確認できる車体外周における範囲は非常に狭くなる。このため、複数のカメラを車体部に設け、運転席内に設けられたモニタ画面等を介して周辺の障害物や人の有無を確認している。
【００６０】
本発明のダンプトラックでは、複数のカメラを設置する際に、カスタマイズされて交換されるおそれのあるベッセルや排気によって高温になる車体右側面後方付近等を避けて、車体部を構成するアッパデッキ部に前方カメラ、左右の側方カメラを、メインフレームの後端に後方カメラをそれぞれ設けている。
これにより、ダンプトラック特有のカメラ設置場所の制約を考慮しつつ、前方から左右の側方、後方までのほぼ全周囲をカバーできるように適切にカメラを配置することができる。この結果、ダンプトラックに対する複数のカメラの配置の適正化により、死角のない周辺監視を行うことができる。
【００６１】
第２の発明に係るダンプトラックは、第１の発明に係るダンプトラックであって、前方カメラ、後方カメラ、側方カメラは、隣接するカメラによって撮像される画像を合成した俯瞰画像の境界部分において、隣接するカメラの全撮像領域において少なくともアッパデッキ部の高さに対して半分の視野高さを有するように、車体部上に配置されている。
ここでは、ダンプトラックの周囲に存在する人を、カメラの撮像範囲に捕らえて俯瞰画像上に確実に表示させるために、隣接するカメラの一方が高さ方向においてアッパデッキ部の高さの半分以上の視野範囲を有するように、各カメラを配置している。
【００６２】
ここで、上記アッパデッキ部の高さとは、例えば、地上から４ｍ以上を想定しており、その半分の高さとは、例えば、２．０ｍ以上の範囲を意味している。
通常、ダンプトラックのような大型車両においては、キャブ内の運転者からはキャブが設置されたアッパデッキ部よりも下方部分が視認しにくい状況にある。
これにより、高さ方向における視野範囲としてアッパデッキ部の高さの半分以上の高さを含むように各カメラを設置することで、キャブから特に視認しにくいアッパデッキ部の高さの半分の位置よりも下にある人等の障害物を確実に検知することができる。また、ダンプトラックの周囲に人（高さ１．５ｍ〜２．０ｍ）が存在する場合には、人がどの位置に移動しても、上半身や下半身だけの状態で表示されてしまうことを回避して、人全体を俯瞰画像上に表示することができる。この結果、俯瞰画像を用いた周辺監視をより確実なものとすることができる。
【００６３】
第３の発明に係るダンプトラックは、第１または第２の発明に係るダンプトラックであって、側方カメラは、車体部の斜め前方を撮像する第１カメラと、車体部の斜め後方を撮像する第２カメラと、を有している。
ここでは、ダンプトラックの側方を撮像する側方カメラとして、車体部の斜め前方を撮像範囲とする第１カメラと、車体部の斜め後方を撮像範囲とする第２カメラと、をアッパデッキ部上に設けている。
【００６４】
これにより、前方カメラおよび後方カメラと合わせて、ダンプトラックの全周囲をできるだけゆがみの小さい状態で俯瞰画像上に表示することができる。よって、運転者にとってダンプトラックの周囲に存在する障害物を確認しやすくなり、安全性を向上させることができる。
【００６５】
第４の発明に係るダンプトラックは、第１から第３の発明のいずれか１つに係るダンプトラックであって、車体部に設けられており、車体部の全周範囲に存在する物体を検知する複数のレーダを、さらに備えている。
ここでは、上述した複数のカメラに加えて、ダンプトラックの全周範囲に存在する障害物を検知するためのレーダを複数設けている。
これにより、運転者は、キャブ内において複数のカメラによって撮像された画像を合成した俯瞰画像を確認しつつ、全周範囲をカバーするレーダによって障害物検知を行うことができる。よって、俯瞰画像上で確認し難い障害物がダンプトラックの周囲に存在する場合でも、レーダによる障害物検知によって、運転者は障害物の存在を確実に認識することができる。
【００６６】
第５の発明に係るダンプトラックは、第４の発明に係るダンプトラックであって、複数のレーダは、車体部における複数のカメラよりも低い位置に設けられている。
ここでは、ダンプトラックの周辺に存在する障害物を検知するためのレーダを、上述した周辺監視用の複数のカメラが設置された位置よりも低い位置に設けている。
通常、レーダによって検知される障害物は地面上に存在しており、空中に存在することはほとんどないことから、レーダによる障害物検知においては、上述したカメラのように上方から見下ろすように配置される必要はない。
これにより、ダンプトラック周囲の地面上に存在する障害物を、遠方まで精度良く検知することができる。
【００６７】
第６の発明に係るダンプトラックは、第４または第５の発明に係るダンプトラックであって、複数のレーダは、車体部の一部を構成するアッパデッキ部およびロアデッキ部のうち、ロアデッキ部上、あるいはロアデッキ部とアッパデッキ部との間に設けられている。
ここでは、複数のレーダを、車両外周におけるロアデッキ部上、あるいはロアデッキ部とアッパデッキ部との間に設けている。
これにより、ダンプトラックにおける比較的地面に近い位置にレーダを設けることができるため、地面に存在する障害物を精度良く検知することができる。
【００６８】
第７の発明に係るダンプトラックは、第４から第６の発明のいずれか１つに係るダンプトラックであって、複数のレーダは、超広帯域レーダである。
【００６９】
ここでは、上記全周囲障害物検知用のレーダとして、広い検知角、高い分解能を有し、測定対象物の相対速度を測定可能で、他の機器と干渉しない超広帯域（ＵＷＢ）レーダを用いている。
これにより、レーダの設置数が少ない場合でも、ダンプトラックの全周範囲に存在する障害物を確実に検知することができる。
【産業上の利用可能性】
【００７０】
本発明のダンプトラックは、ダンプトラックの形状等の制約を考慮しつつ、複数のカメラ配置を適正化することで、死角のない周辺監視を行うことができるという効果を奏することから、車体の周辺監視を行う必要がある各種作業車両に対して広く適用可能である。
【符号の説明】
【００７１】
１      ダンプトラック
２      車体フレーム（メインフレーム）
２Ａ    ロアデッキ部
２Ｂ    アッパデッキ部
２Ｃ    可動式ラダー
２Ｄ    斜めラダー
３      キャブ
３ａ〜３ｄ  支柱
４      ベッセル
４ａ    回動軸
５      前輪
６      後輪
６ａ    アクスル
７      ベース
８      クロスバー
１０      周辺監視装置
１１      前方カメラ
１２      右側方第１カメラ
１３      左側方第１カメラ
１４      右側方第２カメラ
１５      左側方第２カメラ
１６      後方カメラ
１１Ｃ〜１６Ｃ  撮像範囲
２１〜２８  レーダ装置
２１Ｒ〜２８Ｒ  検知範囲
３１      運転席
３２      ハンドル
３３      ダッシュカバー
３４      無線装置
３５      ラジオ受信機
３６      リターダ
３７      シフトレバー
５０      モニタ
１００    コントローラ
１１０    俯瞰画像合成部
１２０    カメラ画像切替・視点変換部
１３０    表示制御部
１４０    モニタ画像生成部
２００    俯瞰画像
２１０    障害物情報収集部
２２０    障害物処理部
３１０    ブラケット
３２０    ブラケット
３３０    ブラケット
３４０    ブラケット
３５０    ブラケット
３６０    ブラケット
【図１】
2014221641.tif 000003
【図２】
2014221641.tif 000004
【図３】
2014221641.tif 000005
【図４】
2014221641.tif 000006
【図５】
2014221641.tif 000007
【図６】
2014221641.tif 000008
【図７】
2014221641.tif 000009
【図８】
2014221641.tif 000010
【図９】
2014221641.tif 000011
【図１０】
2014221641.tif 000012
【図１１】
2014221641.tif 000013
【図１２】
2014221641.tif 000014
【図１３】
2014221641.tif 000015
【図１４】
2014221641.tif 000016
【図１５】
2014221641.tif 000017
【図１６】
2014221641.tif 000018